(57)【要約】【課題】  避難装置本体に避難した人々が安全に護られるようになる避難装置を提供することを目的とする。【解決手段】  複数本の支柱の上部に避難生活可能な高所避難室体を構築してなる避難装置本体における主たる対象である津波の襲来が想定される側に上下複層型の折り返し式スロープとスロープ支柱とでなるスロープ構築体を立設して避難装置本体側を津波襲来から防護するように構成した。【選択図】図２
2016017401.tif 000002
【特許請求の範囲】
【請求項１】
複数本の支柱の上部に避難生活可能な高所避難室体を構築してなる避難装置本体における主たる対象である津波の襲来が想定される側に上下複層型の折り返し式スロープとスロープ支柱とでなるスロープ構築体を立設して避難装置本体側を津波襲来から防護するように構成した避難装置。
【発明の詳細な説明】
【技術分野】
【０００１】  本発明は、津波、高潮あるいは洪水などの非常事態からの避難装置に関する。
【背景技術】
【０００２】  津波の襲来に備えて複数本のスチール製支柱の上端に避難ステージを構築し避難ステージへの登降手段を設けて津波避難タワーとすることにより、津波襲来時の避難場所を提供するようにしたものが海岸線に数多く設置されている。その一例が下記特許文献１に開示されている。【０００３】
【特許文献１】  特開２０１２−１２７１７７
【発明の概要】
【発明が解決しようとする課題】
【０００４】  特許文献１に開示されたものは、支柱の上部に設けた避難ステージ上に周壁を備えた高所避難室体（避難所）を備えて津波襲来後の一定時間あるいは一定期間室内で所要の生活ができるように工夫されている。
しかし、ここに開示された津波避難タワーの高所避難室体は、その前面あるいは側面などの一面に添わせて設けた階段本体によってのみ護られているものであるため、高い津波が襲来してきた場合には高所避難室体が直接損壊するおそれもあった。【０００５】  本発明は、このような問題を解決しようとするものであり、避難装置本体に避難した人々が安全に護られるようになる避難装置を提供することを目的とする。
【課題を解決するための手段】
【０００６】  本発明は上記目的を達成するため、請求項１に記載の発明は、複数本の支柱の上部に避難生活可能な高所避難室体を構築してなる避難装置本体における主たる対象である津波の襲来が想定される側に上下複層型の折り返し式スロープとスロープ支柱とでなるスロープ構築体を立設して避難装置本体側を津波襲来から防護するように構成した。
【発明の効果】
【０００７】  上述したように本発明は、複数本の支柱の上部に避難生活可能な高所避難室体を構築してなる避難装置本体における主たる対象である津波の襲来が想定される側に上下複層型の折り返し式スロープとスロープ支柱とでなるスロープ構築体を立設して避難装置本体側を津波襲来から防護するように構成したので、避難装置本体に避難した人々が安全に護られるようになる避難装置を提供することができる。
【図面の簡単な説明】
【０００８】
【図１】  本発明の一実施形態を図２のＩ方向からみたものとして示す装置平面図。
【図２】  図１のＩＩ方向からの矢視図。
【図３】  図２のＩＩＩ方向からの矢視図。
【図４】  図２のＩＶ方向からの矢視図。
【図５】  図２のＶ方向からの矢視図。
【図６】  図５のＶＩ−ＶＩ線に沿って第１登降手段（スロープ）を切離した状態を正面からみて示す端面図。
【発明を実施するための形態】
【０００９】  図１ないし図６は主として海岸線から近いところに設置される本発明の一実施形態である津波避難装置に関するもので、これらの図においてＡは避難装置本体、Ｂは第１登降手段（スロープ方式）、Ｃは第２登降手段（階段方式）であり、また図中Ｆが装置としての前側、Ｒが装置としての後側を示している。この津波避難装置は、高潮や洪水など他の非常事態時にも避難用として使用可能なものである。
【００１０】  １は設置基盤で、避難装置本体Ａ・第１、第２登降手段Ｂ，Ｃの下回りを全て含むような平面略矩形をなす広いベタ基礎（ＲＣ）よりなっている。
２は本体側基礎ブロックで６個所に埋設固定され、３はこれらブロック２間をつなぐ本体側地中梁、４はスロープ支柱用基礎ブロック、５はスロープ支柱用地中梁である。
避難装置本体Ａは、基部が設置基盤１内に深く打ち込まれた複数本（６本）の角（あるいは丸）パイプ製本体支柱７…を有し、これらの本体支柱７…は、前列と後列にそれぞれ３本ずつ等間隔を置いてかつ前後に対応するようにして立ち上がり部８を介して垂直に立設され、その高さは設置基盤１から略７ｍとされている。
【００１１】  本体支柱７…は、上段の連結梁９により縦横に連結されているとともに、連結梁９の上面である２階床面１０と２階底面を備えている。２階床面１０の上側には、図３のように複数本の避難室用支柱１２…が立設されてそれらを介して避難室外壁１３および仕切内壁１４が形成されている。連結梁９と本体支柱７との間には筋交い１１が設けられている。
１５は密閉式出入り戸、１６はアコーディオン式仕切り、１７は備品収納庫を兼ねる背もたれ付きベンチ、１８は備蓄品倉庫、１９はトイレである。
避難室外壁１３は対津波強度のある防護壁であり、適宜に採光窓を設ける。こうしてなる高所避難室体２０は、津波襲来後一定の時間あるいは日数、避難生活が可能なようになっている。
【００１２】  ２階床面１０の前部にはベランダ形式の前つなぎ路面２２が設けられ、図３（破線）、図５および図６のように床側連結梁９から前向きに張り出した複数本の下段前張出梁２３…により支持されている。
２５は（２階）避難室横踊り場で、避難装置本体Ａを前方からみて右側に相当する個所で前記前つなぎ路面２２に同じ面となるように形成されており、その開口に前記階段方式である第２登降手段Ｃが設けられていることにより階段を利用して避難してきた人々が高所避難室体２０に避難可能であるとともに、後述するようにスロープ方式である第１登降手段Ｂの途中踊り場も前記前つなぎ路面２２に通じていることもあってスロープを利用して避難してきた人々も同様に高所避難室体２０に避難することができるようになっている。
尚、前記避難室横踊り場２５の横側面には避難室用支柱１２を介して側面防護壁２６が設けられて防護壁として機能するようになっている。
【００１３】  一方、高所避難室体２０を構成する複数本の避難室用支柱１２…の上部まわりを介して天井側連結梁２７が相互連結されており、これら天井側連結梁２７の前面を介して複数本の上段前張出梁２８が片持梁式に突設されている。前記天井側連結梁２７の上面を介して避難ステージ版３０が形成され、その上面が地上から約１０ｍ前後の高さの屋上避難ステージ３１とされるとともに横側部は第２登降手段Ｂの最上段のものに通じるステージ側踊り場３２が避難面ともなるように形成されている。３３は屋上外まわり手摺、３４は中仕切り手摺である。
【００１４】  第１登降手段Ｂは、避難装置本体Ａの津波Ｘの襲来が想定される側に平行にしかも避難装置本体Ａとは別の独立支持型のスロープ構築体として設置されている。同登降手段Ｂは上下複層型折り返し式のスロープ構造のものである。
この第１登降手段Ｂは、角パイプ製のスロープ支柱３６…を備え、このスロープ支柱３６…は、図２のように前面からみて左右３個所に埋設固定した前記スロープ支柱用基礎ブロック４…から立設固定されるとともに、各基礎ブロック４からはそれぞれ前後２対を１組としてスロープ支柱３６…が立設されている。
図２の左側のスロープ支柱３６は、高所避難室体２０の上端よりも高い前記避難ステージ版３０と同じ高さとなるように高く伸びており、右側のスロープ支柱３６は、左側のものより少し低い８．３ｍ前後の高さとされている。
左右中間のスロープ支柱３６は、高所避難室体２０の上端前方に略対面する形で高く伸びている。スロープ支柱３６の前後の中心間寸法は３ｍとされている。
【００１５】  スロープ本体（登降用案内受材）３８は、溝形鋼でその溝を下向きにした斜路部３８ａとその端の踊り場部３８ｂおよび長手中間の水平状中間踊り場部３８ｃを１つの単位としてそれにスロープ手摺３９を付属するものでなっており、これらのスロープ本体３８が、前後に平行関係になる形で３回折り返した後の左の踊り場３８ｂが前記屋上避難ステージ３１につながるようにまた２階折り返した後の左側の踊り場３８ｂが前つなぎ路面２２および高所避難室体２０内につながるように構成されている。４０は最下段入口に設けたスロープ側蹴破り戸である。
前記上段前張出梁２８および下段前張出梁２３は図３、図５に示すように前方のスロープ支柱３０に脱着可能な形で一体連結されている。
【００１６】  一方、第２登降手段Ｃは複数回折り返し式階段でなり、本体支柱７の前後および避難室用支柱１２の前後間に渡架された踊り場フレーム４２を介して掛けられた階段本体４３と手摺４４とにより避難装置本体Ａの右側部分に一体型に構築されている。
尚、津波Ｘの襲来が想定される方向は図１の実線の方向（下側から垂直上向き）に限定されず、図１のＸ１あるいはＸ２のように斜め向きに想定される場合も含まれる。
【符号の説明】
【００１７】  Ａ…避難装置本体  Ｂ…第１登降手段  Ｃ…第２登降手段  １…設置基盤  ７…本体支柱  １２…避難室用支柱  １３…避難室外壁  ２０…高所避難室体  ３６…スロープ支柱  ３８…スロープ本体。
【図１】
2016017401.tif 000003
【図２】
2016017401.tif 000004
【図３】
2016017401.tif 000005
【図４】
2016017401.tif 000006
【図５】
2016017401.tif 000007
【図６】
2016017401.tif 000008